【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
センサ生体分子、バイオコンジュゲートおよび標的生体分子からなる群から選択される少なくとも１つの生体分子に結合される多発色団であって、自己に懸垂されたバイオコンジュゲーション部位によって共有結合的に結合される多発色団と、前記多発色団を含むか、あるいは前記多発色団または前記センサ生体分子と共有結合的に結合されていてもよいシグナル伝達発色団とを含み、
前記多発色団が、構造
【化１】
2010540885.tif 000001
（式中、ＣＰ１、ＣＰ２、ＣＰ３およびＣＰ４は、互いに同一または異なる、置換されていてもよい共役ポリマーまたは共役ポリマーセグメントまたはオリゴマー構造である）を含む、
多発色団複合体。
【請求項２】
前記多発色団が単一のバイオコンジュゲーション部位を含む、
請求項１に記載の多発色団複合体。
【請求項３】
（ａ）前記シグナル伝達発色団が前記多発色団複合体と共有結合的に結合されるか、（ｂ）前記シグナル伝達発色団が前記多発色団と共有結合的に結合されるか、（ｃ）前記シグナル伝達発色団が前記センサ生体分子と共有結合的に結合されるか、（ｄ）前記シグナル伝達発色団が有機染料である、
請求項１に記載の多発色団複合体。
【請求項４】
前記多発色団が水溶性共役ポリマーである、
請求項１に記載の多発色団複合体。
【請求項５】
前記シグナル伝達発色団および前記センサ生体分子の両方が、前記多発色団、前記シグナル伝達発色団および前記センサ生体分子を共有結合的に結合する中央の連結部位を介して前記多発色団と共有結合的に連結されている、
請求項１に記載の多発色団複合体。
【請求項６】
前記多発色団が、前記多発色団、前記シグナル伝達発色団および前記センサ生体分子を共有結合的に結合する単一の中央の連結部位を含む、
請求項２または３に記載の多発色団複合体。
【請求項７】
（ａ）前記共役ポリマーがカチオン性共役ポリマーであるか、（ｂ）前記共役ポリマーがアニオン性共役ポリマーであるか、（ｃ）前記共役ポリマーが電荷中性共役ポリマーである、
請求項１に記載の多発色団複合体。
【請求項８】
ＣＰ１、ＣＰ２、ＣＰ３およびＣＰ４が、ベンゼン、ナフタレン、アントラセン、フルオレン、インデノフルオレン、チオフェン、チエノチオフェン、ジチエノチオフェン、３，４−エチレンジオキシチオフェン、フラン、ピリジン、ピロール、縮合ピロール、テトラヒドロピレン、ペリレンジイミド、パラシクロファンおよびオキサジアゾールからなる群から選択される芳香族繰り返し単位であり、各々置換されていてもよく、ＣＰ３およびＣＰ４が、リンカーによって連結された、１つまたは複数の独特なバイオコンジュゲーション部位を含み得る、
請求項１に記載の多発色団複合体。
【請求項９】
（ａ）ＣＰ１、ＣＰ２、ＣＰ３およびＣＰ４が、ベンゼン、ナフタレン、アントラセン、フルオレン、インデノフルオレン、チオフェン、チエノチオフェン、ジチエノチオフェン、３，４−エチレンジオキシチオフェン、フラン、ピリジン、ピロール、縮合ピロール、テトラヒドロピレン、ペリレンジイミド、パラシクロファン、オキサジアゾール、オレフィン（ビニル、シアノ置換オレフィン、トリ置換エチレンおよびテトラ置換エチレンなど）およびエチニルからなる群から選択されるπ−共役繰り返し単位であり、各々置換されていてもよく、ＣＰ３およびＣＰ４が、リンカーによって連結された、１つまたは複数の独特なバイオコンジュゲーション部位を含むか、あるいは
（ｂ）ＣＰ１、ＣＰ２、ＣＰ３およびＣＰ４がバンドギャップを低減するπ−共役繰り返し単位であってもよい、
請求項１に記載の多発色団複合体。
【請求項１０】
ＣＰ１、ＣＰ２、ＣＰ３およびＣＰ４が、前記π−共役骨格における角度をなすπ−共役リンカーであってもよい、
請求項１、８または９に記載の多発色団複合体。
【請求項１１】
前記バイオコンジュゲーション部位が、マレイミド、チオール、スクシミジルエステル（ＮＨＳエステル）、アミン、アジド化学、カルボキシレート、カルボキシ／ＥＤＣ（１−エチル−３−［３−ジメチルアミノプロピル］カルボジイミド塩酸塩、スルホ−ＳＭＣＣ（スルホスクシンイミジル４−［Ｎ−マレイミドメチル］シクロヘキサン−１−カルボキシレート）、アミン／ＢＭＰＨ（Ｎ−［β−マレイミドプロピオン酸］ヒドラジド・ＴＦＡ）およびスルホ−ＳＢＥＤスルホスクシンイミジル［２−６−（ビオチンアミド）−２−（ｐ−アジドベンズアミド）−ヘキサノアミド］−エチル−１，３’−ジチオプロピオネートからなる群から選択される、
請求項１に記載の多発色団複合体。
【請求項１２】
前記多発色団が、構造
【化２】
2010540885.tif 000002
（式中、Ｒ１は各々独立に、エチレングリコールオリゴマー、エチレングリコールポリマー、ω−アンモニウムアルキル塩、ω−アンモニウムアルコキシ塩、ω−アンモニウムオリゴエーテル塩、ω−スルホネートアルキル塩、ω−スルホネートアルコキシ塩、ω−スルホネートオリゴエーテル塩、これらの組み合わせならびにコンポジットからなる群から選択される可溶化基であり、
１、２および３は各々独立に、構造
【化３】
2010540885.tif 000003
（式中、基ｊは共有結合のための少なくとも１つの部位、リンカー（Ｌ）およびバイオコンジュゲーション部位（Ａ）を含む）を有するａ〜ｊのπ−共役単位からなる群から選択される）を含む、
請求項１に記載の多発色団複合体。
【請求項１３】
１、２および３が各々独立に、構造
【化４】
2010540885.tif 000004
を有するａ〜ｉのπ−共役単位からなる群から選択され、前記π−共役単位が、共有結合のための２つの部位を含み、Ｒ１がそれぞれ独立に、（（ＣＨ２）２Ｏ）４ＣＨ３または（（ＣＨ２）２Ｏ）５ＣＨ３または（ＣＨ２）６Ｎ（ＣＨ３）３Ｂｒまたは（ＣＨ２）４ＳＯ３Ｎａであり、２および／または３が構造
【化５】
2010540885.tif 000005
を有する基ｊであり、式中、基ｊは共有結合のための少なくとも１つの部位、リンカー（Ｌ）およびバイオコンジュゲーション部位（Ａ）を含む、
請求項１２に記載の多発色団複合体。
【請求項１４】
前記リンカー（Ｌ）が、アミン、活性化エステル、マレイミドおよびカルボキシレートからなる群から選択されるバイオコンジュゲーション部位（Ａ）で終端する、
請求項１３に記載の多発色団複合体。
【請求項１５】
前記多発色団が、構造
【化６】
2010540885.tif 000006
をさらに含み、
Ｒ１は各々独立に、エチレングリコールオリゴマー、エチレングリコールポリマー、ω−アンモニウムアルキル塩、ω−アンモニウムアルコキシ塩、ω−アンモニウムオリゴエーテル塩、ω−スルホネートアルキル塩、ω−スルホネートアルコキシ塩、ω−スルホネートオリゴエーテル塩からなる群から選択される可溶化基であり、Ｒ２は、エチレングリコールオリゴマー、エチレングリコールポリマー、ω−アンモニウムアルキル塩、ω−アンモニウムアルコキシ塩、ω−アンモニウムオリゴエーテル塩、ω−スルホネートアルキル塩、ω−スルホネートアルコキシ塩、ω−スルホネートオリゴエーテル塩からなる群から選択される可溶化基であるか、フッ素、アルコキシ、シアノ、ω−アンモニウムアルコキシ塩、ω−スルホネートアルコキシ塩、水素からなる群から選択されるバンドギャップ修飾官能基である、
請求項１３に記載の多発色団複合体。
【請求項１６】
前記多発色団が、構造
【化７】
2010540885.tif 000007
をさらに含み、
Ｒ１は各々独立に、エチレングリコールオリゴマー、エチレングリコールポリマー、ω−アンモニウムアルキル塩、ω−アンモニウムアルコキシ塩、ω−アンモニウムオリゴエーテル塩、ω−スルホネートアルキル塩、ω−スルホネートアルコキシ塩、ω−スルホネートオリゴエーテル塩からなる群から選択される可溶化基であり、Ｒ２は、エチレングリコールオリゴマー、エチレングリコールポリマー、ω−アンモニウムアルキル塩、ω−アンモニウムアルコキシ塩、ω−アンモニウムオリゴエーテル塩、ω−スルホネートアルキル塩、ω−スルホネートアルコキシ塩、ω−スルホネートオリゴエーテル塩からなる群から選択される可溶化基であるか、フッ素、アルコキシ、シアノ、ω−アンモニウムアルコキシ塩、ω−スルホネートアルコキシ塩、水素からなる群から選択されるバンドギャップ修飾官能基である、
請求項１に記載の多発色団複合体。
【請求項１７】
前記多発色団が、構造
【化８】
2010540885.tif 000008
をさらに含み、
Ｒ１は各々独立に、エチレングリコールオリゴマー、エチレングリコールポリマー、ω−アンモニウムアルキル塩、ω−アンモニウムアルコキシ塩、ω−アンモニウムオリゴエーテル塩、ω−スルホネートアルキル塩、ω−スルホネートアルコキシ塩、ω−スルホネートオリゴエーテル塩からなる群から選択される可溶化基であり、Ｒ２は、エチレングリコールオリゴマー、エチレングリコールポリマー、ω−アンモニウムアルキル塩、ω−アンモニウムアルコキシ塩、ω−アンモニウムオリゴエーテル塩、ω−スルホネートアルキル塩、ω−スルホネートアルコキシ塩、ω−スルホネートオリゴエーテル塩からなる群から選択される可溶化基である、
請求項１２に記載の多発色団複合体。
【請求項１８】
前記多発色団が、２つまたはそれ以上の独特なバイオコンジュゲーション部位を含む、
請求項１に記載の多発色団複合体。
【請求項１９】
前記多発色団が、構造
【化９】
2010540885.tif 000009
をさらに含み、
Ｒ１は各々独立に、エチレングリコールオリゴマー、エチレングリコールポリマー、ω−アンモニウムアルキル塩、ω−アンモニウムアルコキシ塩、ω−アンモニウムオリゴエーテル塩、ω−スルホネートアルキル塩、ω−スルホネートアルコキシ塩、ω−スルホネートオリゴエーテル塩からなる群から選択される可溶化基であり、Ｒ２は、エチレングリコールオリゴマー、エチレングリコールポリマー、ω−アンモニウムアルキル塩、ω−アンモニウムアルコキシ塩、ω−アンモニウムオリゴエーテル塩、ω−スルホネートアルキル塩、ω−スルホネートアルコキシ塩、ω−スルホネートオリゴエーテル塩からなる群から選択される可溶化基であるか、フッ素、アルコキシ、シアノ、ω−アンモニウムアルコキシ塩、ω−スルホネートアルコキシ塩、水素からなる群から選択されるバンドギャップ修飾官能基であり、Ｌ１およびＬ２は、同一であっても異なっていてもよいリンカーであり、Ａ１およびＡ２は、アミン、活性化エステル、マレイミドおよびカルボキシレートからなる群から選択されるバイオコンジュゲーション部位である、
請求項１２に記載の多発色団複合体。
【請求項２０】
前記多発色団が、構造
【化１０】
2010540885.tif 000010
をさらに含み、
Ｒ１は各々独立に、エチレングリコールオリゴマー、エチレングリコールポリマー、ω−アンモニウムアルキル塩、ω−アンモニウムアルコキシ塩、ω−アンモニウムオリゴエーテル塩、ω−スルホネートアルキル塩、ω−スルホネートアルコキシ塩、ω−スルホネートオリゴエーテル塩からなる群から選択される可溶化基であり、Ｒ２は各々独立に、エチレングリコールオリゴマー、エチレングリコールポリマー、ω−アンモニウムアルキル塩、ω−スルホネートアルキル塩からなる群から選択される可溶化基であるか、フッ素、アルコキシ、シアノ、ω−アンモニウムアルコキシ塩、ω−スルホネートアルコキシ塩、水素からなる群から選択されるバンドギャップ修飾官能基であり、Ｌ１およびＬ２は、同一であっても異なっていてもよいリンカーであり、Ａ１およびＡ２は各々、アミン、活性化エステル、マレイミドおよびカルボキシレートからなる群から独立に選択されるバイオコンジュゲーション部位である、
請求項１に記載の多発色団複合体。
【請求項２１】
前記多発色団のペンダント官能基を変化させる中間リンカーをさらに含む、
請求項１〜２０のいずれか１項に記載の多発色団複合体。
【請求項２２】
構造
【化１１】
2010540885.tif 000011
（式中、ＣＰ１、ＣＰ２、ＣＰ３およびＣＰ４は、互いに同一または異なる、置換されていてもよい共役ポリマーまたは共役ポリマーセグメントまたはオリゴマー構造である）を含む多発色団と、
前記多発色団と共有結合的に連結されたセンサ生体分子と、
前記多発色団を含むか、前記多発色団と共有結合的に結合されていてもよいか、前記センサ生体分子と共有結合的に結合されていてもよいシグナル伝達発色団と、を含み、前記シグナル伝達発色団が、前記多発色団を含む場合を除いて、前記多発色団の励起時に前記多発色団からのエネルギを受け取ることができ、前記センサ生体分子が、標的生体分子または標的関連生体分子と相互作用できる、
標的生体分子を同定するための多発色団複合体。
【請求項２３】
前記多発色団が単一のバイオコンジュゲーション部位を含む、
請求項２２に記載の多発色団複合体。
【請求項２４】
（ａ）前記シグナル伝達発色団が前記多発色団複合体と共有結合的に結合されるか、（ｂ）前記シグナル伝達発色団が前記多発色団と共有結合的に結合されるか、（ｃ）前記シグナル伝達発色団が前記生体分子と共有結合的に結合されるか、（ｄ）前記シグナル伝達発色団が有機染料である、
請求項２２に記載の多発色団複合体。
【請求項２５】
（ａ）前記シグナル伝達発色団および前記センサ生体分子の両方が、複数のリンカーを介して前記多発色団と共有結合的に連結されるか、（ｂ）前記シグナル伝達発色団および前記センサ生体分子の両方が、前記多発色団、前記シグナル伝達発色団および前記センサ生体分子を共有結合的に結合する中央の連結部位を介して前記多発色団と共有結合的に連結される、
請求項２４に記載の多発色団複合体。
【請求項２６】
前記センサ生体分子と多発色団との共有連結が、マレイミド／チオール、スクシミジルエステル（ＮＨＳエステル）／アミン、アジド化学、カルボキシ／ＥＤＣ（１−エチル−３−［３−ジメチルアミノプロピル］カルボジイミド塩酸塩）／アミン、アミン／スルホ−ＳＭＣＣ（スルホスクシンイミジル４−［Ｎ−マレイミドメチル］シクロヘキサン−１−カルボキシレート）／チオールおよびアミン／ＢＭＰＨ（Ｎ−［β−マレイミドプロピオン酸］ヒドラジド・ＴＦＡ）／チオールからなる群から選択されるバイオコンジュゲーション部位を含む、
請求項２２、２３または２４に記載の多発色団複合体。
【請求項２７】
前記センサ生体分子が、アビジン、ストレプトアビジン、ニュートラアビジン、アビジンＤＮおよびアビジンＤからなる群から選択される、
請求項２２または２４に記載の多発色団複合体。
【請求項２８】
前記多発色団が水溶性共役ポリマーである、
請求項２２または２４に記載の多発色団複合体。
【請求項２９】
ビオチン標識抗体、ビオチン標識タンパク質、ビオチン標識核酸およびビオチン標識標的生体分子からなる群から選択される複合体と結合するようさらに構成されている、
請求項２２または２４に記載の多発色団複合体。
【請求項３０】
（ａ）前記センサ生体分子が抗体であるか、（ｂ）前記センサ生体分子が抗ジゴキシゲニン抗体であるか、（ｃ）前記センサ生体分子がヤギ抗マウス抗体またはロバ抗マウス抗体であるか、（ｄ）前記センサ生体分子が結合対の一方のメンバである、
請求項２２または２４に記載の多発色団複合体。
【請求項３１】
ジゴキシゲニン標識抗体、ジゴキシゲニン標識タンパク質、ジゴキシゲニン標識核酸またはジゴキシゲニン標識標的生体分子からなる群から選択される複合体と結合するようさらに構成されている、
請求項２２または２４に記載の多発色団複合体。
【請求項３２】
標的生体分子を含有するとみられる試料を提供し、
多発色団複合体であって、生体分子に共有結合的に結合された多発色団と、前記多発色団複合体に共有結合的に連結されたシグナル伝達発色団と、を含む、上記請求項のいずれか１項に記載の多発色団複合体を提供し、
前記標的生体分子または標的関連生体分子が存在する場合に、これに前記センサ生体分子が結合可能な条件下で、前記試料を前記多発色団複合体に接触させ、
前記多発色団を励起可能な光源を前記試料に適用し、
前記シグナル伝達発色団から光が放出されたか否かを検出する、
ことを含む、アッセイ方法。
【請求項３３】
標的生体分子を含有するとみられる試料を提供し、
多発色団複合体であって、多発色団と、これと共有結合的に連結された第１のバイオコンジュゲートとを含み、前記多発色団複合体と共有結合的に連結されたシグナル伝達発色団をさらに含み得る、上記請求項のいずれか１項に記載の多発色団複合体を提供し、
前記標的生体分子または標的関連生体分子と相互作用できるセンサ生体分子と、前記第１のバイオコンジュゲートと結合できる共有結合的に連結された第２のバイオコンジュゲートとを含み、シグナル伝達発色団をさらに含み得る、センサ生体分子複合体を提供し、この場合、前記多発色団複合体または前記センサ生体分子複合体のいずれか（両方ではない）がシグナル伝達発色団を含み、
前記標的生体分子または標的関連生体分子が存在する場合に、これに前記センサ生体分子が結合可能な条件下で、前記試料を前記センサ生体分子複合体に接触させ、
前記センサ生体分子複合体上に前記第２のバイオコンジュゲートが存在する場合に、これに前記第１のバイオコンジュゲートが結合可能な条件下で、前記試料を前記多発色団複合体に接触させ、
前記多発色団を励起可能な光源を前記試料に適用し、この場合、前記シグナル伝達発色団は前記多発色団の励起時に前記多発色団からのエネルギを受け取ることができ、
前記シグナル伝達発色団から光が放出されたか否かを検出する、
ことを含む、アッセイ方法。
【請求項３４】
（ａ）前記シグナル伝達発色団が前記バイオコンジュゲートと共有結合的に結合されるか、（ｂ）前記シグナル伝達発色団が前記多発色団と共有結合的に結合される、
請求項３２または３３に記載の方法。
【請求項３５】
前記標的生体分子が、基質に結合したセンサ生体分子と結合可能である、
請求項３２または３３に記載の方法。
【請求項３６】
前記基質がビーズである、
請求項３２または３３に記載の方法。
【請求項３７】
前記多発色団複合体をサンドイッチアッセイに使用する、
請求項３２または３３に記載の方法。
【請求項３８】
前記センサ生体分子が抗体である、
請求項３２または３３に記載の方法。
【請求項３９】
前記センサ生体分子が、アビジン、ストレプトアビジン、ニュートラアビジン、アビジンＤおよびアビジンＤＮの群から選択される、
請求項３２または３３に記載の方法。
【請求項４０】
前記センサ生体分子が核酸である、
請求項３２または３３に記載の方法。
【請求項４１】
標的生体分子を含有するとみられる試料を提供し、
シグナル伝達発色団とコンジュゲートした第１のバイオコンジュゲートを提供し、
構造
【化１２】
2010540885.tif 000012
（式中、ＣＰ１、ＣＰ２、ＣＰ３およびＣＰ４は、互いに同一または異なる、置換されていてもよい共役ポリマーまたは共役ポリマーセグメントまたはオリゴマー構造である）を有する多発色団とコンジュゲートした第２のバイオコンジュゲートを提供し、この場合、前記第２のバイオコンジュゲートは、前記第１のバイオコンジュゲートと結合可能であり、前記多発色団のこのような結合励起によって前記シグナル伝達発色団にエネルギを送ることができ、前記第１のバイオコンジュゲートまたは前記第２のバイオコンジュゲートのいずれか（両方ではない）が、前記標的生体分子または標的関連生体分子と相互作用するように構成された標的結合バイオコンジュゲートであり、
前記標的生体分子または標的関連生体分子が存在する場合に、これに対する前記標的結合バイオコンジュゲートの結合を支持する条件下で、前記試料を前記標的結合バイオコンジュゲートに接触させ、
どちらが標的結合バイオコンジュゲートではないかに応じて、前記試料を前記第１のバイオコンジュゲートまたは第２のバイオコンジュゲートのいずれかに接触させ、
前記多発色団を励起可能な光源を前記試料に適用し、
前記シグナル伝達発色団から光が放出されたか否かを検出する、
ことを含む、アッセイ方法。
【請求項４２】
標的生体分子を含有するとみられる試料を提供し、
多発色団と、これと共有結合的に連結されたセンサ生体分子とを含む上記請求項のいずれか１項に記載の多発色団複合体を提供し、この場合、前記センサ生体分子は前記標的生体分子と相互作用でき、
前記標的生体分子または標的関連生体分子が存在する場合に、これに前記センサ生体分子が結合可能な条件下で、前記試料を前記多発色団複合体に接触させ、
前記多発色団を励起可能な光源を前記試料に適用し、
前記多発色団から光が放出されたか否かを検出する、
ことを含む、アッセイ方法
【請求項４３】
標的生体分子を含有するとみられる試料を提供し、
前記標的生体分子または標的関連生体分子と結合できるビオチンで標識された第１のバイオコンジュゲートを提供し、
ストレプトアビジン、ニュートラアビジン、アビジンＤＮおよびアビジンＤからなる群から選択されるアビジンまたはアビジン誘導体と共有結合的に結合された多発色団からなる第２のバイオコンジュゲートを提供し、
前記多発色団を含むか、前記多発色団と共有結合的に結合されたシグナル伝達発色団を含み得るか、ストレプトアビジン、ニュートラアビジン、アビジンＤＮおよびアビジンＤからなる群から選択される前記アビジンまたはアビジン誘導体と結合されたシグナル伝達発色団を含み得る、シグナル伝達発色団を提供し、
前記第２のバイオコンジュゲートを前記第１のバイオコンジュゲートに接触させることを含み、それが前記標的生体分子の存在を示す、
アッセイ方法。
【請求項４４】
標的生体分子を含有するとみられる試料を提供し、
前記標的生体分子または標的関連生体分子と結合できるジゴキシゲニンで標識された第１のバイオコンジュゲートを提供し、
抗ジゴキシゲニン抗体と共有結合的に結合された多発色団からなる第２のバイオコンジュゲートを提供し、
前記多発色団を含むか、前記多発色団と共有結合的に結合されたシグナル伝達発色団を含み得るか、前記抗ジゴキシゲニン抗体と結合されたシグナル伝達発色団を含み得る、シグナル伝達発色団を提供し、
前記第２のバイオコンジュゲートを前記第１のバイオコンジュゲートに接触させることを含み、それが前記標的生体分子の存在を示す、
アッセイ方法。
【請求項４５】
（ａ）前記共役ポリマーがカチオン性共役ポリマーであるか、（ｂ）前記共役ポリマーがアニオン性共役ポリマーであるか、（ｃ）前記共役ポリマーが電荷中性共役ポリマーである、
請求項４１〜４４のいずれか１項に記載の方法。
【請求項４６】
前記第１および第２のバイオコンジュゲートのうちの少なくとも１つが抗体である、
請求項４１〜４４のいずれか１項に記載の方法。
【請求項４７】
前記第１および第２のバイオコンジュゲートのうちの少なくとも１つが、アビジン、ストレプトアビジン、ニュートラアビジン、アビジンＤおよびアビジンＤＮからなる群から選択される、
請求項４１〜４４のいずれか１項に記載の方法。
【請求項４８】
前記第１または第２のバイオコンジュゲートのいずれかがジゴキシゲニンを含み、残りのバイオコンジュゲートが抗ジゴキシゲニン抗体である、
請求項４１〜４４のいずれか１項に記載の方法。
【請求項４９】
前記第１のバイオコンジュゲートが、ストレプトアビジン、ニュートラアビジン、アビジンＤＮおよびアビジンＤからなる群から選択されるアビジンまたはアビジン誘導体あるいは、ビオチンを含み、前記センサ生体分子が抗体であり、
前記第１のバイオコンジュゲートがストレプトアビジン、ニュートラアビジン、アビジンＤＮおよびアビジンＤからなる群から選択されるアビジンまたはアビジン誘導体を含む場合には、前記第２のバイオコンジュゲートがビオチンを含み、
前記第２のバイオコンジュゲートがストレプトアビジン、ニュートラアビジン、アビジンＤＮおよびアビジンＤからなる群から選択されるアビジンまたはアビジン誘導体を含む場合には、前記第１のバイオコンジュゲートがビオチンを含む、
請求項４１〜４４に記載の方法。
【請求項５０】
前記第１のバイオコンジュゲートが、ストレプトアビジン、ニュートラアビジン、アビジンＤＮおよびアビジンＤからなる群から選択されるアビジンまたはアビジン誘導体あるいは、ビオチンを含み、前記センサ生体分子が核酸であり、前記第１のバイオコンジュゲートが、ストレプトアビジン、ニュートラアビジン、アビジンＤＮおよびアビジンＤからなる群から選択されるアビジンまたはアビジン誘導体を含む場合に、前記第２のバイオコンジュゲートはビオチンを含み、あるいは、前記第２のバイオコンジュゲートがストレプトアビジン、ニュートラアビジン、アビジンＤＮおよびアビジンＤからなる群から選択されるアビジンまたはアビジン誘導体を含む場合に、前記第１のバイオコンジュゲートがビオチンを含む、
請求項４１〜４４のいずれか１項に記載の方法。
【請求項５１】
前記標的生体分子が、基質に結合したセンサ生体分子と結合可能である、
請求項４１〜５０のいずれか１項に記載の方法。
【請求項５２】
前記標的生体分子の検出時に遺伝子の発現が検出される、
請求項４１〜５０のいずれか１項に記載の方法。
【請求項５３】
前記標的生体分子の検出時に、特定の細胞型が検出される、
請求項４１〜５０のいずれか１項に記載の方法。
【請求項５４】
前記標的生体分子の検出によって、患者の病状を診断するのに用いられる結果が得られる、
請求項４１〜５０のいずれか１項に記載の方法。
【請求項５５】
病状を診断する前記方法が、
試料中における標的生体分子の存在に関するデータを精査または分析し、
疾患の診断に関するデータの前記精査または分析に基づく結論を、患者、ヘルスケア提供者またはヘルスケア管理者に提供することを含む、
請求項５４に記載の方法。
【請求項５６】
結論を提供することが、ネットワーク経由での前記データの伝送を含む、
請求項５５に記載の方法。
【請求項５７】
多発色団と、
前記多発色団と共有結合的に連結されたセンサ生体分子と、
前記多発色団であるか、前記多発色団と共有結合的に結合されているか、前記センサ生体分子と共有結合的に結合されたシグナル伝達発色団と、を含み、前記シグナル伝達発色団が、前記多発色団の励起時に前記多発色団からのエネルギを受け取ることができ、前記センサ生体分子が、前記標的生体分子と相互作用できる、
標的生体分子を同定するためのキット。
【請求項５８】
前記キットが基質をさらに含む、
請求項５７に記載のキット。